(57)【要約】      （修正有）【課題】遠心分離後の対象液体成分をより多く採取することを可能にする技術を提供する。【解決手段】試料分離デバイスは、分離対象の試料を試料分離デバイスに導入する試料導入部と、試料導入部と接続された液面規定部と、液面規定部と接続された第１分離部と、第１分離部と接続された第２分離部と、第２分離部と接続された第３分離部と、第３分離部を含み、第３分離部と接続されている液体取出部と、を備え、少なくとも第１分離部と第２分離部とによって管状流路が形成され、試料導入部の開口と液体取出部の開口とは、同一方向を向いており、第１分離部は、分離後の試料には重力と当該重力とは反対方向に生じる毛管力とが作用するように構成され、液面規定部の水平断面積は、第１分離部の水平断面積よりも大きく、分離後の試料が毛管力によって液面規定部の最下部に到達したときに分離後の試料に対する毛管力の作用を低下させるように構成される。【選択図】図１３
2019179016.tif 000002
【特許請求の範囲】
【請求項１】
内部に分離対象の試料を導入し、遠心分離し、分離後の所望の液体を採取するのに用いられる試料分離デバイスであって、
前記分離対象の試料を前記試料分離デバイスに導入する試料導入部と、
前記試料導入部と接続された液面規定部と、
前記液面規定部と接続された第１分離部と、
前記第１分離部と接続された第２分離部と、
前記第２分離部と接続された第３分離部と、
前記第３分離部を含み、前記第３分離部と接続されている液体取出部と、を備え、
少なくとも前記第１分離部と前記第２分離部とによって管状流路が形成され、
前記試料導入部の開口と前記液体取出部の開口とは、同一方向を向いており、
前記第１分離部は、分離後の試料には重力と当該重力とは反対方向に生じる毛管力とが作用するように構成され、
前記液面規定部の水平断面積は、前記第１分離部の水平断面積よりも大きく、前記分離後の試料が前記毛管力によって前記液面規定部の最下部に到達したときに前記分離後の試料に対する前記毛管力の作用を低下させるように構成される、試料分離デバイス。
【請求項２】
請求項１において、
前記第２分離部と前記第３分離部との接続部の水平断面積は、前記第３分離部において最小であり、
前記液面規定部の水平断面積の最大値は、前記第３分離部の水平断面積の最小値以上である、試料分離デバイス。
【請求項３】
請求項２において、
前記第３分離部は、前記液体取出部の一部を構成し、前記液体取出部において、前記第２分離部との接続部から前記分離後の試料の液面の高さまでの部分を占めており、
前記液面規定部の最下部の高さは、前記液体取出部の最上部と最下部との間に位置しており、
前記液面規定部の最下部の高さは、前記第３分離部の最上部である前記分離後の試料の液面の高さと同じであり、
前記試料導入部の容量をＶ、前記第１分離部の容量をＡ、前記第２分離部の容量をＢ、前記第３分離部の容量をＣとしたとき、Ａ＋Ｂ＋ＣがＶとほぼ等しくなるように構成された、試料分離デバイス。
【請求項４】
請求項１において、
少なくとも前記第１分離部と前記第２分離部とによってＵ字形状或いはＪ字形状の流路が形成された、試料分離デバイス。
【請求項５】
請求項３において、
前記試料は血液であり、
前記液体取出部から取り出される前記分離後の試料は、血漿である、試料分離デバイス。
【請求項６】
請求項５において、
血球容積率をαとしたとき、
（Ｂ＋Ｃ）×α≦Ｂである、試料分離デバイス。
【請求項７】
請求項６において、
αは、０．５１８、０．５７、０．６２、あるいは０．６７である、試料分離デバイス。
【請求項８】
請求項１において、
前記第３分離部は、前記第３分離部と前記第２分離部との接続部に向かって水平断面積が漸次的に減少するように構成されている、試料分離デバイス。
【請求項９】
請求項１において、
前記液面規定部は、少なくとも前記液面規定部の一部から前記最下部まで水平断面積が漸次的に減少するように構成されている、試料分離デバイス。
【請求項１０】
試料分離デバイスの内部に分離対象の試料を導入し、遠心分離し、分離後の所望の液体を採取する試料分離方法であって、
（i）前記分離対象の試料を前記試料分離デバイスに導入する試料導入部と、前記試料導入部と接続された液面規定部と、前記液面規定部と接続された第１分離部と、前記第１分離部と接続された第２分離部と、前記第２分離部と接続された第３分離部と、前記第３分離部を含み、前記第３分離部と接続されている液体取出部と、を備え、前記液面規定部の水平断面積が、前記第１分離部の水平断面積よりも大きく、少なくとも前記第１分離部と前記第２分離部とによって管状流路が形成され、前記試料導入部の開口と前記液体取出部の開口とは、同一方向を向いている、試料分離デバイスを用意し、前記試料導入部に前記試料を導入することと、
（ii）前記試料を導入した前記試料分離デバイスを、前記試料導入部の開口と前記液体取出部の開口が重力作用方向とは逆方向に向くように、遠心分離機に設置することと、
（iii）前記遠心分離機を動作させ、前記試料分離デバイスに遠心力を印加することと、
（iv）前記遠心分離機による前記遠心力の印加を停止することと、
（v）前記試料分離デバイスの姿勢を前記遠心分離機の回転軸と平行な方向にした状態で、前記第１分離部において、分離後の試料に重力と当該重力とは反対方向に生じる毛管力とを作用させることと、
（vi）前記液面規定部の最下部において前記分離後の試料に対する前記毛管力の作用を低下させることと、
（vii）前記液体取出部から、前記分離後の試料を取り出すことと、
を含む試料分離方法。
【請求項１１】
請求項１０において、
前記試料分離デバイスの姿勢を前記遠心分離機の回転軸と平行な方向にした状態は、前記試料導入部の開口と前記液体取出部の開口が重力作用方向とは逆方向に向いた状態である、試料分離方法。
【発明の詳細な説明】
【技術分野】
【０００１】
本開示は、試料分離デバイス、及び試料分離方法に関する。
【背景技術】
【０００２】
血液検査は、血液成分の定量的・定性的な検査および分析であり、病院での診断や定期健康診断などに活用されている。血液検査の一部である生化学検査や免疫検査では、血液から血球成分を除いた血漿もしくは血清といわれる液体成分を試料として分析を行う。そのため、これらの検査では血球と血漿もしくは血清を分離する血球分離手順が存在する。
【０００３】
一般的に、検査室で行われる血球分離では、数ｍＬの血液が入った採血管を遠心分離する方法が主流となっている。血球の比重が血漿・血清の比重よりも大きいため、血球が下部に、血漿・血清が上部に分離される。なお、分離状態をよくするため、比重が血球と血漿・血清の中間である分離剤を用いることがある。
【０００４】
また、Point-Of-Care Testing (POCT)と言われる患者の目の前もしくは近くの検査では、カートリッジを用いた血液検査が行われることがある。その際、カートリッジ内で遠心分離を行い、血球分離をすることがある。例えば、特許文献１では、Ｕ字型の流路を用いて遠心分離を行い、得られた血漿を分析に用いている。
【先行技術文献】
【特許文献】
【０００５】
【特許文献１】特開２００８−１８０５４３号公報
【発明の概要】
【発明が解決しようとする課題】
【０００６】
しかしながら、特許文献１のＵ字型の流路を用いた遠心分離による血球分離では、Ｕ字型流路の左右でほぼ等しい量の血漿が分離され、その一方のみが分析に用いられる。このため、結果として精製された血漿の半分の量しか分析に用いることができず、より多くの血漿を分析対象として採取できることが望まれる。
本開示はこのような状況に鑑みてなされたものであり、遠心分離後の対象液体成分をより多く採取することを可能にする技術を提供するものである。
【課題を解決するための手段】
【０００７】
上記課題を解決するために、本開示は、例えば請求の範囲に記載の構成を採用する。本明細書は上記課題を解決する手段を複数含んでいるが、その一例を挙げるならば、本開示による試料分離デバイスは、内部に分離対象の試料を導入し、遠心分離し、分離後の所望の液体を採取するのに用いられる試料分離デバイスであって、
分離対象の試料を試料分離デバイスに導入する試料導入部と、
試料導入部と接続された液面規定部と、
液面規定部と接続された第１分離部と、
第１分離部と接続された第２分離部と、
第２分離部と接続された第３分離部と、
第３分離部を含み、第３分離部と接続されている液体取出部と、を備え、
少なくとも第１分離部と第２分離部とによって管状流路が形成され、
試料導入部の開口と液体取出部の開口とは、同一方向を向いており、
第１分離部は、分離後の試料には重力と当該重力とは反対方向に生じる毛管力とが作用するように構成され、
液面規定部の水平断面積は、第１分離部の水平断面積よりも大きく、分離後の試料が前記毛管力によって液面規定部の最下部に到達したときに分離後の試料に対する毛管力の作用を低下させるように構成される、試料分離デバイスである。
【０００８】
本開示に関連する更なる特徴は、本明細書の記述、添付図面から明らかになるものである。また、本開示の態様は、要素及び多様な要素の組み合わせ及び以降の詳細な記述と添付される請求の範囲の様態により達成され実現される。
本明細書の記述は典型的な例示に過ぎず、本開示の請求の範囲又は適用例を如何なる意味に於いても限定するものではないことを理解する必要がある。
【発明の効果】
【０００９】
本開示によれば、遠心分離後の対象液体成分を血球の混入を抑制して簡便に採取することが可能となる。
【図面の簡単な説明】
【００１０】
【図１】本開示の実施形態で用いられる遠心分離機１０の概略構成例を示す図である。図１Ａは、遠心分離機１０の外観を示す図である。図１Ｂは、遠心分離機１０のローター１３の外観を示す図である。
【図２】遠心分離機１０の別形態によるローター１３の概略構成例を示す図である。図２Ａは、当該別形態のローター１３の外観を示す図である。
【図３】本開示の実施形態による試料分離デバイス１００の構成例を示す図である。図３Ａ〜図３Ｄは、導入した血液（試料）が各血球成分に分離される前の過程を示している。
【図４】試料分離の手順を説明するためのフローチャートである。
【図５】実施例１に係る非対称Ｕ字型流路（Ｊ字型流路）を用いた血球分離デバイス２０１の構成例を示す図である。図５Ａは血球分離デバイス２０１の外観構成例を示す図である。図５Ｂは、血球分離デバイス２０１の断面を示す図である。
【図６】血球分離デバイス２０１を用いた血球分離の手順を示す図である。
【図７】血球分離デバイス２０１の製造方法の一例を示す図である。
【図８】図５のデバイスを試作し、図６の手順で血漿分離を行った結果を示す図である。
【図９】１０〜３０μＬの純水を血漿分離デバイスに添加し、液量と液面高さの関係を調べた結果を示す図である。
【図１０】２０μＬの血液用に、小径側流路の太さを非連続的に１．７ｍｍに太くした血漿分離デバイスを作製し、同様の条件で血漿分離を行った結果を示す図である。
【図１１】血液量１０μＬ向けに設計した径変化部を有する血漿分離デバイスを用いて、血漿分離を行った結果を示す図である。
【図１２】遠心力による血球の沈降が非対称Ｕ字型流路の左右で独立して生じるとの過程で、界面の高さが小径側と大径側で不一致となる現象を説明するための図である。
【図１３】血漿分離デバイスの例を示す図である。図１３Ａは１０μＬの血液用デバイス、図１３Ｂは２０μＬの血液用デバイスである。
【図１４】血漿分離デバイスを試作し、１０μＬもしくは２０μＬの血液を採取し、遠心分離を行った結果を示す図である。
【図１５】実施例２に係る血球分離デバイス１４０１の一構成例を示す図である。
【図１６】実施例３に係る血球分離デバイス１６０１の一構成例を示す図である。
【図１７】血液分析装置の一構成例を示す図である。
【図１８】図１７で示す血液分析装置を用いた測定フローの一例を示す図である。
【図１９】径が変化する箇所での界面張力を用いているキャピラリーストップバルブとは異なり、径が太くなることで毛管力を低下させて重力と均衡させることで液面の位置を制御する本方法の特徴を示す図である。
【発明を実施するための形態】
【００１１】
本開示は、流路管で構成される試料分離デバイスであって、液面規定部を有する試料分離デバイスに関する。
【００１２】
以下、添付図面を参照して本開示の実施形態について説明する。添付図面では、機能的に同じ要素は同じ番号で表示される場合もある。なお、添付図面は本開示の原理に則った具体的な実施形態と実装例を示しているが、これらは本開示の理解のためのものであり、決して本開示を限定的に解釈するために用いられるものではない。
【００１３】
本実施形態では、当業者が本開示を実施するのに十分詳細にその説明がなされているが、他の実装・形態も可能で、本開示の技術的思想の範囲と精神を逸脱することなく構成・構造の変更や多様な要素の置き換えが可能であることを理解する必要がある。従って、以降の記述をこれに限定して解釈してはならない。
【００１４】
なお、以下に説明する実施形態や実施例では、血液中の血球と血漿及び血清を分離するための血球分離デバイスを一例として説明することもあるが、血液を分離することは１つの態様であって、本開示のデバイスは血液以外の液体にも適用可能である。このため、試料分離デバイスと称する場合もあることに注意すべきである。
【００１５】
＜遠心分離機の構成＞
（i）全体構成
図１は、本開示の実施形態で用いられる遠心分離機１０の概略構成例を示す図である。図１Ａは、遠心分離機１０の外観を示す図である。遠心分離機１０は、筺体１１と、筺体１１に収容され、回転軸１２を中心に回転するローター１３と、を備えている（図１Ａ参照）。
【００１６】
図１Ｂは、遠心分離機１０のローター１３の外観を示す図である。図１Ｃは、試料分離デバイス１００に遠心力を作用させる前の状態を示す図である。図１Ｄは、試料分離デバイス１００に遠心力を作用させているときの状態を示す図である。
【００１７】
図１のローター１３は、スイング式のローターであり、回転軸１２と、回転軸１２に接続された回転盤２１と、回転盤２１に設けられた複数の可動式バケット２２と、を備えている（図１Ｂ参照）。可動式バケット２２はそれぞれ、試料分離デバイス１００を保持するものであり、支持軸（図示せず）を中心に回転可能なように構成されている。バケット２２は、ローター１３が回転する前、回転盤２１とほぼ垂直の状態にあり（図１Ｂ参照）、ローター１３が回転すると遠心力により徐々に各バケット先端部２２１が水平な状態になる（図１Ｃ参照）。バケット先端部２２１がどのくらいの高さまで持ち上げられるかは遠心力の強さに依存する。
【００１８】
（ii）ローター１３の別の構成例
図２は、遠心分離機１０の別形態によるローター１３の概略構成例を示す図である。図２Ａは、当該別形態のローター１３の外観を示す図である。
【００１９】
図２のローター１３は、アングル式のローターであり、回転軸１２と、回転軸１２に接続された回転盤２１と、回転盤２１に設けられた複数のバケット２２と、を備えている（図２Ａ参照）。バケット２２はそれぞれ、試料分離デバイス１００を保持するものである。
【００２０】
＜試料分離デバイス１００の構成＞
図３は、本開示の実施形態による試料分離デバイス１００の構成例を示す図である。図３Ａ〜図３Ｄは、導入した血液（試料）が各血球成分に分離される前の過程を示している。
【００２１】
図３Ａに示すように、試料分離デバイス１００は、Ｕ字型の流路で構成され、紙面に向かって左側の流路１０１よりも右側の流路１０２の幅が広く（太さ、径、或いは断面積が大きく）なっている。図３Ａに示される試料分離デバイス１００では、Ｕ字型の流路のほぼ中央部で流路サイズを異なるようにしているが、中央部である必要はなく、より左側（試料導入口１０３に近い方）、或いはより右側（分離後の液体成分の採取口１０４に近い方）にサイズが変化する箇所があっても良い。
【００２２】
＜試料（血球）分離の手順＞
図４は、試料分離の手順を説明するためのフローチャートである。図３及び４を用いて、血球分離の手順の各工程について説明する。
【００２３】
（i）ステップ４０１
図３Ｂに示すように、流路の左側の試料導入口１０３から一定量の血液（試料）１０５を導入する。導入される血液１０５の量は、例えば、試料分離デバイス１００の管（流路）サイズによって予め決められる。
【００２４】
（ii）ステップ４０２
血液を導入した試料分離デバイス１００を、図１もしくは図２に示すローター１３にセットする。その際、試料分離デバイス（Ｕ字型流路）１００の底面がバケット２２の底面側に来るように配置する。
【００２５】
（iii）ステップ４０３
遠心分離機１０のローター１３を回転させる。遠心分離機１０のローター１３を回転させると、試料分離デバイス１００にはＵ字型流路の底面方向に遠心力が加わる。すると、図３Ｃに示されるように、血液はＵ字型流路の下側に移動し、血液上面は左側と右側の流路で等しい高さに位置する。右側の流路幅のほうが広いので、右側の流路により多くの血液が存在する。
【００２６】
（iv）ステップ４０４
遠心分離機１０のローター１３の回転数を増加させ遠心力をさらに強める。すると、図３Ｄに示されるように、血球１０６と血漿１０７及び１０８が分離し、血球と血漿の界面は左側と右側の流路で等しい高さに位置するようになる。
【００２７】
（v）ステップ４０５
遠心分離機１０のローター１３の回転を停止させる。右側の流路幅の方が広いので、右側の流路により多くの血漿１０８が存在する。回転を停止させた後、右側の流路に存在する血漿１０８を採取し、分析に用いる。
【００２８】
＜実施例＞
以下、上述の試料分離デバイス１００の各実施例について説明する。
【００２９】
（１）実施例１
図５は、実施例１に係る非対称Ｕ字型流路（Ｊ字型流路）を用いた血球分離デバイス２０１の構成例を示す図である。図５Ａは血球分離デバイス２０１の外観構成例を示す図である。図５Ｂは、血球分離デバイス２０１の断面を示す図である。
【００３０】
図５Ａに示されるように、血球分離デバイス２０１には流路が形成されており、Ｊ字型をした細管部２０２に、細管部２０２より太い直管部２０３が接続されている。Ｊ字型としたのは、血球分離後の血漿の採取し易さを考慮したものである。便宜上、ここでは、細管部２０２の一端を血液導入口２０４と、直管部の一端を血漿採取口２０５と呼ぶこととする。
図６は、血球分離デバイス２０１を用いた血球分離の手順を示す図である。図４及び６を参照して、血球分離の各工程について説明する。
【００３１】
（i）ステップ４０１
まず、血液導入口２０４から血液３０１を導入する。図６Ａでは、毛管力により細管部２０２が満たされるまで血液を導入した場合が示されている。ただし、導入する血液３０１の量は適宜変わるものである。なお、血液３０１は、シリンジなどで一定量を導入しても良い。
【００３２】
（ii）ステップ４０２
遠心分離機１０のローター１３に、血液３０１を導入した血球分離デバイス２０１をセットする。図１に示される遠心分離機１０のローター１３を採用する場合には、血球分離デバイス２０１は水平にした状態でセットされる。一方、図２に示されるスイング式のローター１３を採用する場合には、図６の紙面下方向を下にして（ローター１３の回転盤２１と垂直な方向に）血球分離デバイス２０１をバケット２２にセットする。
【００３３】
（iii）ステップ４０３
遠心分離機１０のローター１３を回転させる。例えば、５００ｇ相当の回転により遠心力を印加すると良い。血球分離デバイス２０１には、図６の紙面下方向に（ローター１３の回転盤２１と水平な方向に）遠心力が印加される。
【００３４】
すると、遠心力により血液が流路内を移動し、図６Ｂに示されるように、直管部２０３に血液が導入される。このとき、破線で示したように、細管部２０２と直管部２０３で血液の上面がほぼ一致するようになる。
【００３５】
（iv）ステップ４０４
ステップ４０３の状態（図６Ｂ参照）でローター１３の回転数を増大させ、遠心力を強める（例えば、１，１００ｇ相当）。すると、血液は分離し始める。
【００３６】
（v）ステップ４０５
遠心分離機１０のローター１３の回転を停止させる。すると、図６Ｃに示されるように、血液は、血球３０２と血漿３０３及び３０４にはっきりと分離される。
【００３７】
図６Ｃを参照すると、細管部２０２と直管部２０３の両方で血球３０２と血漿３０３、３０４が分離している。直管部２０３の断面積の方が細管部２０２の断面積よりも大きいので、図６Ｂの状態では右側の直管部２０３の方により多くの血液が存在する。そのため、分離後の図６Ｃの状態でも、右側の直管部２０３の側により多くの血漿３０４が存在することになる。
【００３８】
図６Ｄは、分離後の血漿３０４をプローブ３０５によって分注する様子を示している。プローブ３０５は、例えばシリンジポンプなどの液体搬送機構（図示せず）に接続されている。例えば、図示しないロボットを用いてプローブ３０５を直管部２０３に挿入し、図示しないシリンジポンプにより血漿３０４を吸引する。そして、プローブ３０５を別途準備した測定セルに挿入し、吸引した血漿を吐出する。その際、血漿３０４の液面と血漿３０４と血球３０２の分離面を正しく認識する必要がある。
【００３９】
図７は、血球分離デバイス２０１の製造方法の一例を示す図である。まず、まっすぐの形状の直管部４０１と細管部４０２からなる部材を準備する（図７Ａ参照）。直管部４０１及び細管部４０２は、ポリカーボネートなどのプラスティックチューブで構成することが可能である。次に、細管部４０２を曲げ、Ｊ字の形状とする（図７Ｂ参照）。図７Ｂの状態でローター１３に載置することで、実質的に図５の血球分離デバイス２０１と同様の効果を有するデバイスとなる。
【００４０】
なお、図７では、直管部４０１と細管部４０２とは、何れか一方の管を熱で溶かすことにより接合しても良いし、管と同じ材料でできた接着剤を用いて接合しても良い。また、ここでは、径の異なる２つの管を接合しているが、１つの管の形状を変えることにより、血球分離デバイスを形成しても良い。例えば、直管部４０１を構成する管の先端を加熱し、管を伸ばすことにより細管部４０２を形成しても良いし、細管部４０２を構成する管の先端を膨らますことにより直管部４０１を形成しても良い。ただし、この場合、直管部４０１と細管部４０２の接合部分はないが、直管部４０１から細管部４０２に移行する部分に傾斜が形成されることになる。
【００４１】
図８は、図５のデバイスを試作し、図６の手順で血漿分離を行った結果を示す図である。導入口から２０μＬの血液を導入し、遠心分離機で１１００ｇを１０分間印加したところ、図８のように血球と血漿に分離した。当初、血漿の液面は流路の左右で一致すると想定していた。しかしながら結果は、Ｊ字型流路の細い側の液面が高くなった。これは、毛管力によると想定された。親水性の場合、毛管力は径が細いほど大きく働くため、流路の左右で重力差と釣り合うまで細い側の液面が上昇する。
【００４２】
検証のため、水溶液試料を用いて、液量と液面高さの関係を調べた。１０〜３０μＬの純水を血漿分離デバイスに添加し観察した（図９）。いずれの量においても、小径側の液面が大径側の液面よりも高く位置し、その差は１６．８±１．１ｍｍであった。細管での毛管力による液のせり上がりは次の式で与えられる。液のせり上がり高さｈは、接触角θ（表面張力による液面の盛り上がりと水平面とがなす角度）、表面張力Ｔ、管直径ｒ、液密度ρ、重力加速度ｇとすると、式１のようになる。
【００４３】
【数１】
2019179016.tif 000003
【００４４】
小径側と大径側でのせり上がり高さの差が小径側でのせり上がり高さである。血漿分離デバイスと同じ材質の平板での接触角６６度を用いると、計算値は１６．０ｍｍとなった。実験結果と誤差範囲内で一致したことから、液のせり上がりは毛管力により生じたと結論付けた。
【００４５】
１１００ｇの遠心力が印加されている状態では、液のせり上がりはほとんど無くなる。これは、式において重力加速度が大きくなるとせり上がり高さが小さくなるためである。すなわち、観測された液のせり上がりは遠心分離終了後に生じたことを示している。遠心分離後の液の移動は血漿分離界面を乱し、分離能の低下をもたらすため、分離能の維持には液のせり上がりを抑制する必要がある。加えて、流路と血液の界面張力の変化によって液のせり上がり量が変化すると大径側の液面高さも変化するため、血漿の回収時に液面高さを考慮する必要が生じ、回収動作を煩雑にしてしまう。
【００４６】
毛管力による液のせり上がりを抑制するには、せり上がりを抑止したい箇所で管の径を太くすれば良い。ここを以降は径変化部（液面規定部）と呼ぶ。この構造は回転式カートリッジでよく用いられるキャピラリーストップバルブと似ているものの、その働きは異なる。キャピラリーストップバルブでは、小径側から流れてきた液が、径が変化する箇所での界面張力により止まる。遠心力を引加するなどして界面張力に打ち勝ち液が一旦流れると、界面張力は失われるためバルブとしての機能を失う。一方、本開示によるデバイスでは重力と毛管力の均衡を利用したものであり、径変化部での界面張力を利用しているわけではない。つまり、血液をデバイスに導入して遠心分離した後、デバイスを縦にし、液に対してデバイスの下方向に重力が作用する一方、デバイス細管の毛管力が液に作用して液をせり上がらせようとする。この重力と毛管力とが均衡するため、一度液が流れて径変化部における流路表面が濡れて界面張力が失われても液のせり上がりを防止する機能は維持される。そのため、液を径変化部の径が太い側から導入してもよい利点がある。実際、設計したデバイスでは径が太い側から血液を導入する。
【００４７】
なお、上記実施例では、径変化部は、図１９Ａのように、９０度程度の曲がり（漸次的な変化ではなく径が急に変化）で径変化部を作製したが、図１９Ｂや図１９Ｃのように、鈍角な曲がりであったり、連続的な曲がり（漸次的な変化）であってもよい。前述のように、径が変化する箇所での界面張力を用いているキャピラリーストップバルブとは異なり、径が太くなることで毛管力を低下させて重力と均衡させることで液面の位置を制御する本方法の特徴を、図１９は示している。
【００４８】
小径側流路の太さを非連続的に１．７ｍｍに太くした血漿分離デバイスを作製し、同様の条件で血漿分離を行った（図１０）。小径側の液面が大径側の液面よりも高く位置したものの、小径側での液面のせり上がりは管が太くなる箇所で止まった。分離された血漿量は小径側で２．１μＬ、大径側で７．７μＬであった。径変化部が無い場合に比べて左右どちらにおいても血漿の量が増加した。これは、径変化部で液のせり上がりを抑制したことで、血漿分離界面の乱れが低減されたためである。なお、図１０に示すデバイスは、２０μＬの血液（例）を処理するために設計されたものである。
【００４９】
血液量１０μＬ向けに設計した径変化部を有する血漿分離デバイスを用いて、血漿分離を行った（図１１）。径変化部によって血漿のせり上がりが抑制されている。同一形状の４つのデバイスにおいて、得られた血漿量は小径側で１．２±０．１μＬ、大径側で３．９±０．４μＬであった。血漿と血球の界面の高さは小径側と大径側で一致せず、大径側の方が高く位置していた。なお、図１１のデバイスは、１０μＬの血液（例）を処理するために設計されたものである。
【００５０】
遠心力による血球の沈降が非対称Ｕ字型流路の左右で独立して生じると仮定すると、界面の高さが小径側と大径側で不一致となる現象を説明できる。図１２を用いてその減少について説明する。流路に血液１０μＬを導入した状態で遠心力を鉛直下向きに印加すると、血液の液面は水平方向に左右で一致することから、流路の最下部を基準（基準位置を０としている）にして小径側に２．１μＬ、大径側に７．９μＬの血液が存在した状態となる。遠心力の印加を継続すると、血球が沈降し血漿が分離される。今回実験に用いた血液では血球と血漿の量比は１：１であったことから、血球と血漿の界面は、基準位置から左側に１．０５μＬの位置、および基準位置から右側に３．８５μＬの位置に現れる。基準位置から左側では管の太さが一定のため中間点に界面が位置するのに対し、基準位置から右側では小径部と大径部があるため界面は中間よりも大径部側に位置する。そのため、界面は大径側が小径側に比べて高く位置する。遠心分離後は毛管力によるせり上がりで小径側に液が移動するものの、移動量は遠心分離中の小径側液面とキャピラリーストップバルブの間の容量である２．３μＬ−２．１μＬ＝０．２μＬにすぎない。結論として、小径側の分離界面はキャピラリーストップから１．０５μＬの箇所に位置することが、計算上導かれる。実験結果である小径側の血漿量１．２±０．１μＬと概ね一致した。
【００５１】
以上の検討により、カートリッジ設計のために重要な２つの発見が得られた。１つは、Ｊ字型流路の小径部側に径変化部を設けることで、毛管力による液のせり上がりを抑制できることである。もう１つは、全血を遠心分離した際に、Ｊ字型流路の左右で独立して分離が生じるという血漿分離モデルである。
【００５２】
本開示は、一滴の微量血液から血漿を簡便に取り出すことを可能にする技術を提供する。図１１のような血漿分離の場合、血漿を針状のプローブでの採取では、界面の位置を正確に把握した上で精密な動作でプローブを駆動させる必要がある。これが界面の位置を気にすることなくプローブを挿入して吸引するだけでよくなれば、プローブ関係の装置構成を簡素に出来る。図１３はそれを可能にするデバイスの一例を示す図である。血漿取り出し口が大径部と小径部になっていることを利用し、界面が小径部に必ず来るようにする。そのようにすれば、プローブを径が変化する部位より若干上に配置させ、規定量を吸引させるだけで、常に血漿のみを採取することが可能となる。
【００５３】
デバイス構成の１つのポイントは、径変化部による液せり上がりを防止することである。径変化部の高さより下の流路容量を採取血液容量とすれば、血漿取り出し口での液面が常に径変化部の高さとなる。従って、血漿取り出し口の大径部に存在する液体の量は常に一定となり、プローブでの採取の際に液面を計測する必要が無くなる。
【００５４】
図１３は、血漿分離デバイスの例を示す図である。図１３Ａは１０μＬの血液向け、図１３Ｂは２０μＬの血液向けである。図１３に示すように、採血部（液体採取部とも呼ぶ）、液面規定部（径変化部）、分離部Ａ、分離部Ｂ、分離部Ｃ、および血漿取り出し部が規定されている。液面規定部は、分離部Ａよりも水平（重力は図面上から下に加わるとする）断面積が小さいため、液のせり上がりは液面規定部と分離部Ａの接続部付近で止まる。分離部Ａ、Ｂ、およびＣの容量をそれぞれ、Ａ、Ｂ、およびＣとし、採血部容量をＶとすると、Ａ＋Ｂ＋Ｃ＝Ｖとなるように設計すれば、液面規定部と同じ水平面に血漿取出部側の液面が位置するようになる。製造の誤差などによりＡ＋Ｂ＋Ｃ＝Ｖの関係が若干ずれたとしても、図左側の液面が液面規定部と分離部Ａの接続部付近に規定されるので、血漿取出部での液面もほぼ一定となる。その結果、プローブで血漿を採取する際に、血漿液面を検知する必要が無くなる。
【００５５】
デバイス構成のもう１つのポイントは、Ｊ字型流路での血漿分離モデルに基づき、血漿取出部に血漿のみが分離されるようにした点である。血漿と血球の分離界面は、血球の割合により変化する。この血球の割合はヘマトクリット値と言われ、正常値での最大値は５１．８％である。実際の分離界面は、血球の間に隙間があるため、この値の１割から３割増し程度（１割増し程度の場合：α＝０．５７、２割増し程度の場合：α＝０．６２、３割増し程度の場合：α＝０．６７）になる。すなわち、分離後の血球容量は最大で７０％程度となる。分離界面が必ず血漿取り出し口側の小径部に来るためには、血漿取り出し口側の容積に対して、小径部が７０％とすればよい。
【００５６】
血液全体に占める遠心分離後の血球の容積をαとすると、（Ｂ＋Ｃ）×α≦Ｂの関係となるようにＢおよびＣを設定すれば、血球と血漿の分離面が分離部Ｂに位置し、血漿取出部は血漿のみが存在するようになる。血漿分離モデルによれば、分離部Ａと分離部Ｂおよび分離部Ｃでは独立して血漿分離が発生するため、分離部Ｂおよび分離部Ｃ側では遠心分離後の血球容量は（Ｂ＋Ｃ）×αとなる。この値がＢと同じか小さければ血球は分離部Ｂ内に収まり分離部Ｃには上澄みの血漿のみが存在することになる。その結果、プローブで血漿を採取する際に、血漿と血球の界面を検知する必要が無くなる。すなわち、図１３のデバイスであれば、プローブを血漿取出部に挿入し容量Ｃと同じか小さい量だけ吸引すれば血漿のみを吸引することが可能であり、プローブによる血漿採取動作を簡便なものにできる。
【００５７】
血漿分離デバイスを試作し、１０μＬもしくは２０μＬの血液を採取し、遠心分離を行った。図１４Ａおよび図１４Ｃはそれぞれ１０μＬもしくは２０μＬの血液を採取した状態を、図１４Ｂおよび図１４Ｄは遠心力の引加により分離を行った状態を示す。図１４Ｂおよび図１４Ｄのように分離界面が分離部Ｂに収まった。プローブで血漿取出部から血漿を規定量採取したところ、血漿のみを回収できた。
【００５８】
（２）実施例２
図１５は、実施例２に係る血球分離デバイス１４０１の一構成例を示す図である。血球分離デバイス１４０１は、実施例１（図５）と同様に、Ｊ字型をした細管部１４０２と、細管部１４０２と接続され、細管部１４０２より太い（断面積が大きい）直管部１４０３と、を備えている。ただし、実施例１との違いは、直管部１４０３の水平断面が楕円形状をなしている点である。
【００５９】
なお、ここでは直管部１４０３の水平断面が楕円形である例を挙げているが、直管部１４０３は、細管部１４０２よりも断面積が大きければ、その形状には様々なものを採用することができる。例えば、図１８のように、細管部１５０２及び直管部１５０３の流路の矢印Ｘ方向から見た厚みが一定であったり、細管部１５０２のＵ字部が直角に折れ曲がっていたりしてもよい。
【００６０】
（３）実施例３
図１６は、実施例３に係る血球分離デバイス１６０１の一構成例を示す図である。血球分離デバイス１６０１は、実施例１（図２）と同様に、Ｊ字型をした細管部１６０２と、細管部１６０２に接続され、細管部１６０２より太い（断面積が大きい）直管部１６０３と、キャピラリー採血管１６０５を血球分離デバイス１６０１に接続するための窪み１６０４と、を備えている。窪み１６０４には、キャピラリー採血管１６０５を着脱自在に取り付ける（セットする）ことができるようになっている。すなわち、キャピラリー採血管１６０５がセットされた状態で、実質的に実施例１（図２）に係る血球分離デバイス２０１と同様の構成かつ機能を発揮することができるようになっている。
【００６１】
図１７は、血液分析装置の一構成例を示す図である。血液分析装置は、例えば、駆動部と、制御部とを備えている。駆動部は、遠心分離機と、検体ノズルと、測定セルと、試薬ノズルと、試薬収容部と、を備えている。
【００６２】
図１８は、図１７で示す血液分析装置を用いた測定フローの一例を示す図である。遠心分離機に試料を導入した試料分離デバイスをセットする（ステップ１８０１）。遠心分離機で試料分離デバイスに遠心力を印加し、血漿を血漿取出部に分離する（ステップ１８０２）。検体ノズルを用いて試料分離デバイスの血漿取出部から血漿を採取する（ステップ１８０３）。ここで、図１３に示すように血球と血漿の界面が血漿取出部よりも下部に位置している場合、血球と血漿の界面の位置を気にすることなく血漿取出部から血漿のみを採取できる。そして、採取した血漿を測定セルに一定量吐出する（ステップ１８０４）。試薬ノズルを用いて試薬を採取し（ステップ１８０５）、測定セルに一定量吐出する（ステップ１８０６）。試薬と検体（血漿）の混合により反応が生じ、生じた反応を光学的もしくは電気的など何らかの手段で測定し（測定に用いる構成は図示せず）、試薬に対応する物質の濃度を定量する（ステップ１８０７）。なお、遠心分離機の替わりに試料分離デバイス配置部を備えてもよく、その場合、本装置以外で遠心分離を行ったものを試料分離デバイス配置部に配置する。
【００６３】
＜まとめ＞
（i）本開示による試料分離デバイスを用いて試料（例えば、血液）を各液体成分（血球、血漿、及び血清）に分離すれば、試料の上面が遠心力の働く方向に垂直な面となるため、断面積の大きな流路側により多くの液体成分が集まることになる。その結果、断面積の大きな流路側に半分以上の所望の液体成分（例えば、血漿）を溜めることができる。この断面積の大きな側で得られた所望の液体成分（血漿）を分析に用いることで、従来法よりも多くの所望の液体成分（血漿）を分析に用いることができるようになる。結果として、必要な試料（血液）の量を低減することができ、ひいては試料を提供する者（血液を採取される患者など）の負担を軽減することできるようになる。
【００６４】
（ii）本開示の実施形態は、内部に分離対象の試料を導入し、遠心分離し、分離後の所望の液体を採取するのに用いられる試料分離デバイスであって、
分離対象の試料を前記試料分離デバイスに導入する試料導入部（採血部）と、
試料導入部と所接続された液面規定部（径変化部）と、
液面規定部と接続された第１分離部（分離部Ａ）と、
第１分離部と接続された第２分離部（分離部Ｂ）と、
第２分離部と接続された第３分離部（分離部Ｃ）と、
第３分離部を含み、第３分離部と接続されている液体取出部（血漿取出部）と、を備え、
少なくとも第１分離部と第２分離部とによって管状流路が形成され、
試料導入部の開口と前記液体取出部の開口とは、同一方向を向いており、
第１分離部は、分離後の試料には重力と当該重力とは反対方向に生じる毛管力とが作用するように構成され、
液面規定部の水平断面積は、第１分離部の水平断面積よりも大きく、分離後の試料が前記毛管力によって前記液面規定部の最下部に到達したときに前記分離後の試料に対する前記毛管力の作用を低下させるように構成される、試料分離デバイスについて開示する。このような構成を有する試料分離デバイスを用いることにより、試料分離後に試料がせり上がってしまって取り出せる分離後試料（例えば、血漿）の分量が所望の量に満たないという事態を回避することができるようになる。なお、試料導入部の開口と前記液体取出部の開口とは、同一方向を向いているため、当該試料分離デバイスはほぼ垂直な状態（図１３において、採血部が上で分離部ＡおよびＢが下となる状態）で遠心分離機にセットされることが前提である。つまり、当該試料分離デバイスは水平状態（図１３において、採血部、液面規定部、分離部ＡからＣ、血漿取出部が同一の高さに置かれた状態）にして用いられるのではなく、当該デバイスの分離部（流路）に収容される試料に重力が作用するように当該デバイスは使用される。
【００６５】
また、本実施形態による試料分離デバイスでは、第２分離部と第３分離部との接続部の水平断面積が第３分離部において最小となっている。また、液面規定部の水平断面積の最大値が第３分離部の水平断面積の最小値以上となっている（図１３参照）。このようにすることにより、第２分離部と第３分離部との接続部に毛管力を作用させることができ、第１分離部に作用する毛管力の影響によって第３分離部から第２分離部に引き込まれる分離後試料の量を減少させることが可能となる。
【００６６】
図１３からも分かるように、第３分離部は、液体取出部の一部を構成し、液体取出部において、第２分離部との接続部から分離後の試料の液面の高さまでの部分を占めている。また、このとき、液面規定部の最下部の高さは、液体取出部の最上部と最下部との間に位置している。さらに、液面規定部の最下部の高さは、第３分離部の最上部である分離後の試料の液面の高さと同じとなっている。このため、試料分離デバイスは、試料導入部の容量をＶ、第１分離部の容量をＡ、第２分離部の容量をＢ、第３分離部の容量をＣとしたとき、Ａ＋Ｂ＋ＣがＶとほぼ等しくなるように構成されている。このような関係（Ａ＋Ｂ＋Ｃ＝Ｖ）が満足するように試料分離デバイスを構成することにより、分離後試料のせり上がりを液面規定部の最下部と第１分離部との接続部付近で止めることが可能となる。
当該試料分離デバイスにおいて、少なくとも第１分離部と第２分離部とによってＵ字形状或いはＪ字形状の流路が形成されるようにすることが好ましい。
【００６７】
処理対象の試料は例えば血液であり、このとき液体取出部から取り出される分離後の試料は、血漿である。そして、血球容積率をαとしたとき、（Ｂ＋Ｃ）×α≦Ｂであることが望ましい。ここで、αは、０．５１８、０．５７、０．６２、あるいは０．６７である。このようにすることにより、血球と血漿の分離面を第３分離部に位置させることができ、血漿取出部から血漿のみを取り出すことができるようになる。
【００６８】
なお、第３分離部を、第３分離部と第２分離部との接続部に向かって水平断面積が漸次的に減少するように構成するようにしてもよい。また、液面規定部を、少なくとも液面規定部の一部からその最下部まで水平断面積が漸次的に減少するように構成するようにしてもよい。
【００６９】
（iii）本実施形態は、試料分離デバイスの内部に分離対象の試料を導入し、遠心分離し、分離後の所望の液体を採取する試料分離方法も開示する。当該試料分離方法は、
分離対象の試料を試料分離デバイスに導入する試料導入部と、試料導入部と接続された液面規定部と、液面規定部と接続された第１分離部と、第１分離部と接続された第２分離部と、第２分離部と接続された第３分離部と、第３分離部を含み、第３分離部と接続されている液体取出部と、を備え、液面規定部の水平断面積が、第１分離部の水平断面積よりも大きく、少なくとも第１分離部と第２分離部とによって管状流路が形成され、試料導入部の開口と液体取出部の開口とは、同一方向を向いている、試料分離デバイスを用意し、試料導入部に前記試料を導入することと、
試料を導入した前記試料分離デバイスを、試料導入部の開口と液体取出部の開口が重力作用方向とは逆方向に向くように、遠心分離機に設置することと、
遠心分離機を動作させ、試料分離デバイスに遠心力を印加することと、
遠心分離機による遠心力の印加を停止することと、
試料分離デバイスの姿勢を遠心分離機の回転軸と平行な方向にした状態で、第１分離部において、分離後の試料に重力と当該重力とは反対方向に生じる毛管力とを作用させることと、
液面規定部の最下部において分離後の試料に対する前記毛管力の作用を低下させることと、
液体取出部から、分離後の試料を取り出すことと、を含んでいる。
【符号の説明】
【００７０】
１００  試料分離デバイス
１０１  左側の流路
１０２  右側の流路
１０３  試料導入口
１０４  分離後の液体成分の採取口
【図１】
2019179016.tif 000004
【図２】
2019179016.tif 000005
【図３】
2019179016.tif 000006
【図４】
2019179016.tif 000007
【図５】
2019179016.tif 000008
【図６】
2019179016.tif 000009
【図７】
2019179016.tif 000010
【図８】
2019179016.tif 000011
【図９】
2019179016.tif 000012
【図１０】
2019179016.tif 000013
【図１１】
2019179016.tif 000014
【図１２】
2019179016.tif 000015
【図１３】
2019179016.tif 000016
【図１４】
2019179016.tif 000017
【図１５】
2019179016.tif 000018
【図１６】
2019179016.tif 000019
【図１７】
2019179016.tif 000020
【図１８】
2019179016.tif 000021
【図１９】
2019179016.tif 000022